(57)【特許請求の範囲】
【請求項１】
両端が開放された筒形状で、少なくとも天面板、底面板、右側面板、左側面板の面板からなり、容器本体を嵌め込むスリーブであって、前記面板の少なくとも１つの端部に、前記容器本体に差込み固定する係止片を延設したスリーブであって、前記係止片を延設した面板には、係止片と前記係止片を延設した面板とが接する部分の幅より狭い間隔の２つの切込みが縦方向に設けられ、係止片と前記係止片を延設した面板との境界線上で、それぞれ外側に曲がって、Ｌ字あるいは、逆Ｌ字状に設けられていることを特徴とするスリーブ。
【請求項２】
前記係止片を前記容器本体に差込む時に、前記係止片を延設した前記面板より浮かす為の切込を、前記係止片を設けた前記面板に、あるいは、前記係止片を設けた前記面板と隣接する前記面板との境界に、設けたことを特徴とする請求項１に記載のスリーブ。
【請求項３】
前記容器本体が、該容器本体の二つの容器本体面板が形成する角部で、一方の容器本体面板より延設された部分が他方の容器本体面板の内側に重なり合わされた重なり部を有し、または、双方の容器本体面板から延設された部分が一方の容器本体面板に重なり合わされた重なり部を有し、前記重なり部にできる隙間に、前記角部より前記係止片が差し込まれていることを特徴とする請求項１、または、２に記載のスリーブ。
【請求項４】
請求項1、または、２に記載のスリーブと、前記容器本体とからなる容器であって、前記容器本体の二つの容器本体面板が形成する角部で、一方の容器本体面板より延設された部分が他方の容器本体面板の内側に重なり合わされた重なり部を有し、または、双方の容器本体面板から延設された部分が一方の容器本体面板に重なり合わされた重なり部を有し、前記重なり部にできる隙間に、前記角部より前記スリーブの前記係止片が差し込まれていることを特徴とする容器。
【発明の詳細な説明】
【技術分野】
【０００１】
本発明は、スリーブに関するものである。特に詳しくは容器本体を嵌め込む筒状のスリーブに関するものである。
【背景技術】
【０００２】
容器本体を嵌め込む筒状のスリーブは、紙箱などで古くより用いられてきた。そして、スリーブに美装性の高い印刷などの装飾を施し、全体として高級なイメージの包装用容器としたものがあった。
【０００３】
また、容器本体の形状は、蓋のあるものや、蓋が無く、スリーブが蓋の役割を兼ねたものなど様々な形状で用いられてきた。また、容器本体は、紙製に限らず、クッキーなどの包装用容器では、容器本体が金属缶であり、金属缶にスリーブを組み合わせた包装用容器もあった。
【０００４】
例えば、容器本体が、底面板と底面板に連設された4つの側面板からなり、２つの側面板は１つの側面板の両端に接続した形状で、残りの１つ側面板は隣接する側面板とは切り離されていて、容器本体の上方は開放されており、フリーブに嵌め込むことによって、側面板が固定され、上方の開放部が覆われる包装用容器がある。（特許文献１）
公知文献を以下に示す。
【先行技術文献】
【特許文献】
【０００５】
【特許文献１】意匠登録第１０３８５２５号公報
【発明の概要】
【発明が解決しようとする課題】
【０００６】
上記のようなスリーブでは、容器本体とスリーブが、固定されていないので、簡単にスリーブを抜くことが出来る。そのため、包装用容器を開けようとしないときにもスリーブが外れて開いてしまうことがあった。
【０００７】
そして、包装用容器を持ち上げようとするときに、スリーブから容器本体が抜け落ちる可能性もあった。また、抜けなくても、容器本体とスリーブがずれてしまうことは往々にしてあった。
【０００８】
本発明は、上記問題を解決するものであって、容易に容器本体とスリーブとがずれたりせず、また、容器本体がスリーブから抜けることがないスリーブを提供するものである。また、そのスリーブと容器本体からなる容器を提供するものである。
【課題を解決するための手段】
【０００９】
本発明は係る課題に鑑みなされたものであり、請求項１の発明は、両端が開放された筒形状で、少なくとも天面板、底面板、右側面板、左側面板の面板からなり、容器本体を嵌め込むスリーブであって、前記面板の少なくとも１つの端部に、前記容器本体に差込み固定する係止片を延設したスリーブであって、前記係止片を延設した面板には、係止片と前記係止片を延設した面板とが接する部分の幅より狭い間隔の２つの切込みが縦方向に設けられ、係止片と前記係止片を延設した面板との境界線上で、それぞれ外側に曲がって、Ｌ字あるいは、逆Ｌ字状に設けられていることを特徴とするスリーブである。
【００１０】
本発明のスリーブは、以上のような構成であって、容器本体にスリーブを確実に固定す
ることが出来る。さらに、両端が開放されていて、面板の端部に係止片を設けているだけなので、使用する材料が少なくてすむ。
【００１１】
本発明の請求項２の発明は、前記係止片を前記容器本体に差込む時に、前記係止片を延設した前記面板より浮かす為の切込を、前記係止片を設けた前記面板に、あるいは、前記係止片を設けた前記面板と隣接する前記面板との境界に、設けたことを特徴とする請求項１に記載のスリーブである。
【００１２】
本発明はさらに、係止片を設けた面板に、あるいは、前記係止片を設けた面板と隣接する面板との境界に、切込を係止片より設けているので、容器本体に係止片を差し込むことが容易にできる。
【００１３】
本発明の請求項３の発明は、前記容器本体が、該容器本体の二つの容器本体面板が形成する角部で、一方の容器本体面板より延設された部分が他方の容器本体面板の内側に重なり合わされた重なり部を有し、または、双方の容器本体面板から延設された部分が一方の容器本体面板に重なり合わされた重なり部を有し、
前記重なり部にできる隙間に、前記角部より前記係止片が差し込まれていることを特徴とする請求項１、または、２に記載のスリーブである。
【００１４】
本発明はさらに、一方の面板より延設された部分が他方の面板の内側に重なり合わされた重なり部、または、双方の面板から延設された部分が一方の面板に重なり合わされた重なり部で、重なり部にできる隙間に、係止片を差し込まれているので、係止片が固定されて、動いたり、抜けたりすることが無く、より確実にスリーブを容器本体に固定することが出来る。
【００１５】
本発明の請求項４の発明は、請求項1、または、２に記載のスリーブと、前記容器本体とからなる容器であって、
前記容器本体の二つの容器本体面板が形成する角部で、一方の容器本体面板より延設された部分が他方の容器本体面板の内側に重なり合わされた重なり部を有し、または、双方の容器本体面板から延設された部分が一方の容器本体面板に重なり合わされた重なり部を有し、
前記重なり部にできる隙間に、前記角部より前記スリーブの前記係止片が差し込まれていることを特徴とする容器である。
【００１６】
本発明は、容器本体の一方の面板より延設された部分が他方の面板の内側に重なり合わされた重なり部、または、双方の面板から延設された部分が一方の面板に重なり合わされた重なり部で、重なり部にできる隙間に、スリーブの係止片を差し込まれているので、係止片が固定されて、動いたり、抜けたりすることが無く、より確実にスリーブが容器本体に固定された、容器とすることができる。
【発明の効果】
【００１７】
本発明のスリーブは、以上のように係止片を設けてあるので、容易に容器本体とスリーブとがずれたりせず、また、容器本体がスリーブから抜けることがない。
【図面の簡単な説明】
【００１８】
【図１】本発明のスリーブの一例の展開図である。
【図２】本発明のスリーブ１の切込８の他の形状を表す部分図である。
【図３】本発明のスリーブの一例の図である。（ａ）本発明のスリーブの一例の正面図である。（ｂ）本発明のスリーブの一例の左側面図である。（ｃ）は、本発明のスリーブの一例の平面図である。
【図４】本発明のスリーブと一体となって容器となる容器本体の一例の展開図である。
【図５】本発明のスリーブと一体となって容器となる容器本体の一例の左側面図である。
【図６】本発明のスリーブと容器本体が一体となった容器の一例の平面図である。
【図７】本発明のスリーブと一体となって容器となる容器本体のその他の例の斜視図である。（ａ）は、容器本体の被せ蓋である。（ｂ）は、容器本体のトレイ状の身である。
【図８】本発明の容器本体とスリーブのその他の例の斜視図である。（ａ）は、被せ蓋をトレイ状の身に被せた容器本体である。（ｂ）は、容器本体を嵌め込むスリーブである。
【図９】本発明のスリーブに容器本体を嵌め込んだ状態のその他の例を、斜め下方から見た斜視図である。
【図１０】本発明のスリーブの係止片を容器本体に差し込んだ状態を表す、斜め下方から見た斜視図である。
【発明を実施するための形態】
【００１９】
以下本発明を実施するための形態につき説明する。
本発明のスリーブは、紙やプラスチックシートを打ち抜き、折罫を設けたブランクを、折罫より折り曲げ、必要部分を接着して形成する。
【００２０】
使用する紙としては、坪量２００〜５００ｇ／ｍ２のバージン紙、カード紙、カップ原紙、コートボール紙などの板紙が使用できる。また、紙にポリエチレンなどの樹脂層を積層したラミネート加工紙を用いても良いし、波状の紙を貼り合わせた段ボールシートを用いることも出来る。
【００２１】
プラスチックシートに用いるプラスチックとしては、ポリエチレン、ポリプロピレン、ポリエステル、ポリ塩化ビニルなどが使用できる。厚さは、３０μｍ〜５００μｍが適当であるが、スリーブの大きさによって、より厚いシートも使用できる。
【００２２】
本発明において、容器本体の胴方向の長さより、スリーブの筒状の全体の長さを短くし、あるいは、部分的に短くしても良い。また、スリーブに窓を設けても良い。これにより、容器本体の一部を見えるようにし、あるいは収納された内容物の一部が見えるようにすることが出来る。このとき、容器本体とスリーブが固定されているので、見える位置がずれることがない。
【００２３】
図１は、本発明のスリーブの一例の展開図である。
本例のスリーブ１は、図の左側から底面板２、左側面板３、天面板４、右側面板５が連設されてなり、底面板２の反対の辺には接着片６が設けられている。そして、左側面板３の一端には係止片７が延設されている。
【００２４】
そして、接着片６、底面板２、左側面板３、天面板４、右側面板５のそれぞれの間には、押し罫による、折罫ａが設けられ、また、左側面板３と係止片７の間にも、同様に折罫ｂが設けられている。
【００２５】
係止片７を延設した左側面板３と隣接する底面板２及び天面板４との境界には、係止片７を容器本体に差込む時に、左側面板３から浮かす為の２つの切込８、８が設けられている。そして、切込８、８のそれぞれの先端を結ぶ折罫ｃも設けられていて、係止片７を右側面板３から浮かすことが、この罫線ｃで折れ曲がることで容易となる。
【００２６】
図２（ａ）、（ｂ）、（ｃ）は、本発明のスリーブ１の切込８の他の形状を表す部分図である。
【００２７】
図２（ａ）は、切込８が左側面板３に設けられている例である。左側面板３には、係止片７と左側面板３とが接する部分の幅より、狭い間隔の２つの切込みが、図では縦方向に設けられ、係止片７と左側面板３との境界線上で、それぞれ外側に曲がって、Ｌ字あるいは、逆Ｌ字状に設けられている。
【００２８】
図２（ｂ）は、切込８が左側面板３に設けられている例であるが、係止片７の左右両端が、左側面板３に接する位置より２つの切込８が、図の縦方向に設けられている。
【００２９】
図２（ｃ）は、１本の切込８が、係止片７の左上端より、図の縦方向に設けられ、そして、右に曲がってＬ字状になって設けられている。右に曲がった切込８の先端から下方に向かって折罫ｄが設けられている。
【００３０】
図３（ａ）は、本発明のスリーブ１の正面図である。接着片６、底面板２、左側面板３、天面板４、右側面板５がそれぞれの間の折罫ａで折られて、接着片６が右側面板５に接着されて、前後に位置する両端が開放された筒形状となっている。
【００３１】
図３（ｂ）は、本発明のスリーブ１の左側面図である。また、図３（ｃ）は、本発明のスリーブ１の平面図である。左側面板３から係止片７が連設されている。本例では、平面図でみて、係止片７が底面板２、左側面板３、天面板４、右側面板５のいずれよりも下方に突き出して設けられている。
【００３２】
本発明のスリーブ１と一体となって容器を形成する容器本体１００は、スリーブ1の係止片７が差し込める構造であれば、特に形状を限定されることはない。
【００３３】
しかし、スリーブ１の係止片を差し込むための容器本体１００の好ましい構造は、容器本体１００の二つの面板が形成する角部で、一方の面板より延設された部分が他方の面板の内側に重なり合わされた重なり部を有するか、または、双方の面板から延設された部分が一方の面板に重なり合わされた重なり部を有する構造である。
【００３４】
このような構造にすることによって、図１のように、容器本体１００の重なり部にできる隙間に、角部よりスリーブ１の係止片７を差し込むことが出来、係止片７がしっかりと固定されて動くことがない。
【００３５】
図４は、本発明のスリーブ１と一体となって容器となる容器本体１００の一例の展開図である。図のように、容器本体１００は、床面板１０１の右に左外側面板１０２、左内側面板１０３、及び、左床面板１０４が延設され、それぞれの間には押し罫線による折罫が設けられている。
【００３６】
また、床面板１０１の左に右外側面板１０５、右内側面板１０６、及び、右床面板１０７が延設され、それぞれの間には押し罫線による折罫が設けられている。（この展開図は容器としたときに外側になる方向から見た図であり、容器としての左右と、図の左右が逆
になっている。）
【００３７】
左内側面板１０３の上下には、左後係止板１０８と左前係止板１０９が設けられ、右内側面板１０６の上下には、右後係止板１１０と右前係止板１１１が設けられていて、それぞれの係止板には、それぞれ、係止切込１１２、１１３、１１４、１１５が設けられていて、容器本体１００を組み立てるときに、左右の係止切込で互いの係止板を挟むようにして係止する。
【００３８】
床面板１０１の上方には、外後面板１１６が設けられ、後上面板１１７を介し、内後面板１１８と後床面板１１９が連設されていて、床面板１０１の下方には、外前面板１２０が設けられ、前上面板１２１を介し、内前面板１２２と前床面板１２３が連設されている。
【００３９】
左外側面板１０２の上方、外後面板１１６の右側には、それぞれに接続して折込板１２４が設けられ、左外側面板１０２の下方、外前面板１２０の右側には、それぞれに接続して折込板１２５が設けられ、右外側面板１０５の上方、外後面板１１６の左側には、それぞれに接続して折込板１２６が設けられ、右外側面板１０５の下方、外前面板１２０の左側には、それぞれに接続して折込板１２７が設けられている。
【００４０】
この容器本体１００を組み立てるには、まず、左外側面板１０２と左内側面板１０３を、その間の折罫で、容器の内方に折り、重ね合わせる。そして、左床面板１０４を逆に折り床面板１０１に接するようにする。反対側も同様に、右外側面板１０５と右内側面板１０６を、その間の折罫で、容器の内方に折り、重ね合わせる。そして、右床面板１０７を逆に折り床面板１０１に接するようにする。
【００４１】
次に、左右の係止板が重なるようにそれぞれ折り、右後係止板１１０の係止切込１１４で左後係止板１０８を挟むように、左後係止板１０８の係止切込１１２で右後係止板１１０を挟むようにして係止させる。同じく、右前係止板１１１の係止切込１１５で左前係止板１０９を挟むように、左前係止板１０９の係止切込１１３で右前係止板１１１を挟むようにして係止させる。
【００４２】
そして、折込板１２４と折込板１２６のそれぞれに斜めに設けられた折罫ｍを押し込むように折込み、外後面板１１６を底面板１０１との間の折罫で折って立ち上げる。後上面板１１７を内方に折り、さらに内後面板１１８を折る。後床面板１１９を逆に折って、床面板１０１に接するようにする。
【００４３】
同様に、折込板１２５と折込板１２７のそれぞれに斜めに設けられた折罫ｍを押し込むように折込み、外前面板１２０を底面板１０１との間の折罫で折って立ち上げる。前上面板１２１を内方に折り、さらに内前面板１２２を折る。前床面板１２３を逆に折って、床面板１０１に接するようにする。以上のようにして、トレイ状の容器本体１００が組み立てられる。
【００４４】
図５は、組み立てられた容器本体１００の左側面図である。左外側面板１０２が見えている。この左外側面板１０２の図の右側には、外前面板１２０の端部がのぞいている。そして、外前面板１２０の上端には、平行に伸びた前上面板１２１があり、先端で折れて内前面板１１２に繋がっている。
【００４５】
また、左外側面板１０２の図の左側には、外後面板１１６の端部がのぞいている。そして、外後面板１１６の上端には、平行に伸びた後上面板１１７があり、先端で折れて内後面板１１８に繋がっている。
【００４６】
この容器本体１００をスリーブ１に嵌め込み、左外側面板１０２と外前面板１２０の角部が、スリーブ１の折罫ｂに重なるようにした後、折罫ｂを外前面板１２０に重なる方向に折り、図６のように、折罫ｃより左側面板３を外側に折り曲げる。そして、係止片７を左外側面板１０２と外前面板１２０との間の隙間から差し込み、罫線ｍで折り曲げられた折込板１２５で挟まれるように７を挿入する。
【００４７】
このようにすることによって、本発明のスリーブと容器本体と一体になった本発明の容器の一例が出来上がる。そして、これによって、スリーブ１は容器本体１００の角部でその係止片７が二つの面板より延長された部分に挟み込まれて、固定され、係止片７が不用意に外れることが無く、スリーブ１が容器本体１０にしっかり固定される。
【００４８】
容器本体の構造は、前述のものには限らない。例えば、前記の容器本体のようなトレイ型の身に被せ蓋を被せたものを容器本体とすることもできる。
【００４９】
図７は、本発明の容器に用いる容器本体２００のその他の例斜視図である。図７（ａ）は、容器本体２００の被せ蓋２０１である。図７（ｂ）は、容器本体２００のトレイ状の身２０２である。トレイ状の身２０２に被せ蓋２０１を覆い被せて一体として容器本体２００を形成する。
【００５０】
トレイ状の身２０２は額縁形状である。底面２０３から前外側壁２０４とそれと対向する後外側壁及びその左右に左外側壁２０５と右外側壁２０６が垂直に立ち上がり、底面２０３と平行な額縁２０７を介し、前内側壁とそれと対向する後内側壁２０８、及び、左内側壁２０９、右内側壁がそれぞれ設けられ、外側壁と内側壁で２重壁となっている。そしてそれぞれの内側壁の下端には、底面に面で接する側壁底面２１０が設けられている。
【００５１】
容器本体２００の被せ蓋２０１は、額縁は無いが、同様な２重壁を有するトレイ状の被せ蓋である。すなわち、天面２１１から下方に垂直に、前外側面２１２とそれと対向する後外側面、及び、左外側面２１３、右外側面２１４が連設され、下端で内側に折り返され、それぞれ内側面が設けられ、外側面と内側面で２重になっていて、内側面の先端には、それぞれ天面に面で接する側部底面が設けられている。
【００５２】
図８（ａ）は、被せ蓋２０１をトレイ状の身２０２に被せた容器本体２００である。図８（ｂ）は、容器本体２００を嵌め込むスリーブ１０である。
【００５３】
スリーブ１０では係止片７が、底面板２の端部の中央に設けられている。そして、底面板２から浮かすための切込８、８が、底面板２の端部より内方に向かって設けられ、底面板２と係止片７の間に、折罫ｂが設けられ、また、切込８、８のそれぞれの先端を結ぶ折罫ｃも設けられていて、係止片７を底面板２から浮かすことが、容易となるようにしてある。
【００５４】
図９は、スリーブ１０に容器本体２００を嵌め込んだ状態を、斜め下方から見た斜視図である。スリーブ１０の長さは、容器本体２００の長さより短くなっていて、スリーブ１０を嵌めた状態で、容器本体２００の一部が見えるようになっている。これによって、容器本体２００の表面に、設けられたデザインや表示をスリーブ１０を嵌め込んだ状態で見えるようにしてある。
【００５５】
図１０は、スリーブ１０の係止片７を容器本体２００に差し込んだ状態を表す、斜め下方から見た斜視図である。
スリーブ１０の係止片７を容器本体２００のトレイ状の身２０２の前外側壁２０４と、被
せ蓋２０１の前外側面２１２の下端で内側に折り返された内側面との間に差し込まれている。
【００５６】
このようにスリーブ１０の係止片７が容器本体２００トレイ状の身２０２の前外側壁２０４と、被せ蓋２０１の前外側面２１２の下端で内側に折り返された内側面との間に差し込まれているので、スリーブ１０は容器本体２００の前外側壁２０４と前外側面２１２との角部で、一方の面板より延設された部分が他方の面板の内側に重なり合わされた重なり部で、挟み込まれて、固定され、係止片７が不用意に外れることが無く、スリーブ１０が容器本体２００にしっかり固定される。
【００５７】
以上、具体例をあげて説明したが、本発明は具体例に限定されるものではなく、特許請求の範囲に記載された範囲で、これ以外の形状などを含むものである。
【符号の説明】
【００５８】
１、１０・・・スリーブ
２・・・底面板
３・・・左側面板
４・・・天面板
５・・・右側面板
６・・・接着片
７・・・係止片
８・・・切込
１００・・・容器本体
１０１・・・床面板
１０２・・・左外側面板
１０３・・・左内側面板
１０４・・・左床面板
１０５・・・右外側面板
１０６・・・右内側面板
１０７・・・右床面板
１０８・・・左後係止板
１０９・・・左前係止板
１１０・・・右後係止板
１１１・・・右前係止板
１１２、１１３、１１４、１１５・・・係止切込
１１６・・・外後面板
１１７・・・後上面板
１１８・・・内後面板
１１９・・・後床面板
１２０・・・外前面板
１２１・・・前上面板
１２２・・・内前面板
１２３・・・前床面板
１２４、１２５、１２６、１２７・・・折込板
２００・・・容器本体
２０１・・・被せ蓋
２０２・・・トレイ状の身
２０３・・・底面
２０４・・・前外側壁
２０５・・・左外側壁
２０６・・・右外側壁
２０７・・・額縁
２０８・・・後内側壁
２０９・・・左内側壁
２１０・・・側壁底面
２１１・・・天面
２１２・・・前外側面
２１３・・・左外側面
２１４・・・右外側面
ａ、ｂ、ｃ、ｍ・・・折罫
【図１】
0005589521.tif 000002
【図２】
0005589521.tif 000003
【図３】
0005589521.tif 000004
【図４】
0005589521.tif 000005
【図５】
0005589521.tif 000006
【図６】
0005589521.tif 000007
【図７】
0005589521.tif 000008
【図８】
0005589521.tif 000009
【図９】
0005589521.tif 000010
【図１０】
0005589521.tif 000011